【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
無認可帯域でのデータのセットの送信を控えた送信機によって、前記送信機のネットワークに割り当てられたクリアチャネル評価（ＣＣＡ）機会においてクリアＣＣＡを検出することと、
前記送信機によって、前記送信機の前記ネットワークに割り当てられた前記ＣＣＡ機会に基づいて、前記送信機に関連付けられたチャネル使用ビーコン信号（ＣＵＢＳ）の構成を選択することと、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信することと、
を備える、方法。
【請求項２】
ＣＵＢＳ送信のための前記周波数サブキャリアのセットは、ＣＵＢＳ送信のために利用可能な全てのサブキャリアのサブセットである、請求項１に記載の方法。
【請求項３】
前記サブセットは、複数の重複しないサブセットのうちの１つである、請求項２に記載の方法。
【請求項４】
前記複数の重複しないサブセットの数が利用可能なＣＣＡ機会の総数の数以上であるとき、各ＣＣＡ機会が前記複数の重複しないサブセットのうちの一意の重複しないサブセットに関連付けられる、請求項３に記載の方法。
【請求項５】
前記複数の重複しないサブセットの前記数が利用可能なＣＣＡ機会の前記総数の前記数未満であるとき、各ＣＣＡ機会と前記複数の重複しないサブセットとの間のアソシエーションは、時間スロット依存である、請求項３に記載の方法。
【請求項６】
前記クリアＣＣＡに応答して前記送信機によって、前記データのセットのための送信の予定持続期間を決定することと、
前記送信機によって、前記送信の前記予定持続期間に基づいて、前記送信機に関連付けられた前記ＣＵＢＳの前記構成を選択することと、
をさらに含む、請求項１に記載の方法。
【請求項７】
前記構成を選択することは、
前記持続期間が予め決められた時間を超えることに失敗するとき、第１の構成を選択することと、
前記持続期間が前記予め決められた時間を超えるとき、第２の構成を選択することと、
を含む、請求項６に記載の方法。
【請求項８】
前記送信特性に従って送信することは、
前記ＣＣＡ機会に関連付けられたサブフレームの１つまたは複数のシンボルの各々において前記ＣＵＢＳを送信することと、ここにおいて、前記送信することは、前記ＣＣＡ機会に関連する前記１つまたは複数のシンボルの第１のシンボルにおいて始まる、
利用可能なＣＣＡ機会のセットに関連付けられた複数の直交チャネルから１つの直交チャネルを選択することと、ここにおいて、前記選択された直交チャネルは、前記検出されたＣＣＡ機会に対応する、
前記送信機によって、２つ以上のアンテナで前記ＣＵＢＳを送信することと、ここにおいて、前記２つ以上のアンテナの各々で送信された前記ＣＵＢＳは、前記２つ以上のアンテナのうちのその他で送信された前記ＣＵＢＳから位相シフトされる、
前記送信機によって、単一のポートを使用する２つ以上のアンテナで送信された前記ＣＵＢＳを送信することと、ここにおいて、送信された各ＣＵＢＳは、互いに時間オフセットされる、
のうちの１つを含む、請求項６に記載の方法。
【請求項９】
前記ＣＵＢＳの周波数トーンマップの各奇数のリソース要素をゼロに設定することと、
前記送信することの前に、時間ドメイン信号に前記ＣＵＢＳの前記周波数トーンマップを変換することと、ここにおいて、前記時間ドメイン信号は、伸ばされたサイクリックプリフィックスを含む、
によって、前記ＣＵＢＳを生成すること、
をさらに含む、請求項６に記載の方法。
【請求項１０】
ワイヤレス通信の方法であって、
受信機によって、前記受信機のネットワークに割り当てられたクリアチャネル評価（ＣＣＡ）機会において、チャネル使用ビーコン信号（ＣＵＢＳ）を検出することと、ここにおいて、前記ＣＵＢＳの構成は、前記受信機と通信状態にある送信機を識別する、
前記ＣＵＢＳに基づいて、前記受信機によって自動利得制御（ＡＧＣ）を設定することと、
前記受信機によって、前記構成に基づいて前記送信機からの予定送信時間を決定することと、
前記受信機によって、前記ＡＧＣを使用して、前記予定送信時間内に前記送信機からデータ送信を受信することと、
前記予定送信時間の後、前記受信することを非活性化することと、
を備える、方法。
【請求項１１】
前記決定することは、
前記ＣＵＢＳの第１の構成を検出することと、ここにおいて、前記第１の構成は、長さ半分のフレームの前記予定送信時間を示し、さらに１つまたは複数のシステム信号が前記長さ半分のフレーム内に位置付けられることを示す、または
前記ＣＵＢＳの第２の構成を検出することと、ここにおいて、前記第２の構成は、フルの長さのフレームの前記予定送信時間を示し、さらに１つまたは複数のシステム信号が前記フルの長さのフレーム内に位置付けられることを示す、
のうちの１つを含む、請求項１０に記載の方法。
【請求項１２】
前記を識別する前記ＣＵＢＳのために、前記ＣＣＡ機会の複数のリソース要素を探索することをさらに含み、前記探索することは、
前記複数のリソース要素中の第１のリソース要素から３つのリソース要素ごとに前記ＣＵＢＳを示すパターンを探索することと、
１つのリソース要素によって、前記第１のリソース要素からシフトされた第２のリソース要素から３つのリソース要素ごとに前記ＣＵＢＳを示す前記パターンを探索することと、
１つのリソース要素によって、前記第２のリソース要素からシフトされた第３のリソース要素から３つのリソース要素ごとに前記ＣＵＢＳを示す前記パターンを探索することと、
をさらに含む、請求項１０に記載の方法。
【請求項１３】
近隣ネットワークＣＣＡ機会において近隣ネットワークＣＵＢＳを検出することと、
前記ＣＵＢＳと前記近隣ネットワークＣＵＢＳとの間の観測された電力差異を決定することと、
前記送信機によって、前記観測された電力差異が予め決定されたしきい値を超えることに失敗するとき、どの干渉除去も行わないことと、
前記送信機によって、前記観測された電力差異が前記予め決定されたしきい値を超えるとき、干渉除去を行うことと、
をさらに含む、請求項１０に記載の方法。
【請求項１４】
請求項１乃至１３に記載の前記方法をコンピュータに行わせるためのプログラムコードを記録したコンピュータ可読媒体。
【請求項１５】
ワイヤレス通信のために構成された装置であって、
無認可帯域でのデータのセットの送信を控えた送信機によって、前記送信機のネットワークに割り当てられたクリアチャネル評価（ＣＣＡ）機会においてクリアＣＣＡを検出するための手段と、
前記送信機によって、前記送信機の前記ネットワークに割り当てられた前記ＣＣＡ機会に基づいて、前記送信機に関連付けられたチャネル使用ビーコン信号（ＣＵＢＳ）の構成を選択するための手段と、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信するための手段と、
を備える、装置。
【手続補正２】
【補正対象書類名】明細書
【補正対象項目名】０１２６
【補正方法】変更
【補正の内容】
【０１２６】
[00135]    本開示の先の説明は、いずれの当業者も本開示を製造または使用することをできるようにするために提供されている。本開示に対する様々な修正は、当業者に容易に明らかであり、本明細書で定義されている包括的な原理は、本開示の趣旨または範囲から逸脱することなく、他のバリエーションに適用され得る。従って、本開示は、本明細書で説明された例および設計に限定されるように意図されたものではなく、本明細書で開示された原理および新規の特徴と一致する最大範囲を与えられるものとする。
以下に本願の出願当初の特許請求の範囲に記載された発明を付記する。
［Ｃ１］
ワイヤレス通信の方法であって、
無認可帯域でのデータのセットの送信を控えた送信機によって、前記送信機のネットワークに割り当てられたクリアチャネル評価（ＣＣＡ）機会においてクリアＣＣＡを検出することと、
前記送信機によって、前記送信機の前記ネットワークに割り当てられた前記ＣＣＡ機会に基づいて、前記送信機に関連付けられたチャネル使用ビーコン信号（ＣＵＢＳ）の構成を選択することと、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信することと、
を備える、方法。
［Ｃ２］
ＣＵＢＳ送信のための前記周波数サブキャリアのセットは、ＣＵＢＳ送信のために利用可能な全てのサブキャリアのサブセットである、Ｃ１に記載の方法。
［Ｃ３］
前記サブセットは、複数の重複しないサブセットのうちの１つである、Ｃ２に記載の方法。
［Ｃ４］
前記複数の重複しないサブセットの数が利用可能なＣＣＡ機会の総数の数以上であるとき、各ＣＣＡ機会が前記複数の重複しないサブセットのうちの一意の重複しないサブセットに関連付けられる、Ｃ３に記載の方法。
［Ｃ５］
前記複数の重複しないサブセットの前記数が利用可能なＣＣＡ機会の前記総数の前記数未満であるとき、各ＣＣＡ機会と前記複数の重複しないサブセットとの間のアソシエーションは、時間スロット依存である、Ｃ３に記載の方法。
［Ｃ６］
前記ＣＣＡ機会が、どの他のＣＣＡ機会もマッピングされない前記複数の重複しないサブセットのうちの１つの重複しないサブセットにマッピングされる、各ＣＣＡ機会のための時間スロットが存在する、Ｃ５に記載の方法。
［Ｃ７］
前記クリアＣＣＡに応答して前記送信機によって、前記データのセットのための送信の予定持続期間を決定することと、
前記送信機によって、前記送信の前記予定持続期間に基づいて、前記送信機に関連付けられた前記ＣＵＢＳの前記構成を選択することと、
をさらに含む、Ｃ１に記載の方法。
［Ｃ８］
前記構成を選択することは、
前記持続期間が予め決められた時間を超えることに失敗するとき、第１の構成を選択することと、
前記持続期間が前記予め決められた時間を超えるとき、第２の構成を選択することと、
を含む、Ｃ７に記載の方法。
［Ｃ９］
前記送信特性に従って送信することは、
前記ＣＣＡ機会に関連付けられたサブフレームの１つまたは複数のシンボルの各々において前記ＣＵＢＳを送信することと、ここにおいて、前記送信することは、前記ＣＣＡ機会に関連する前記１つまたは複数のシンボルの第１のシンボルにおいて始まる、
利用可能なＣＣＡ機会のセットに関連付けられた複数の直交チャネルから１つの直交チャネルを選択することと、ここにおいて、前記選択された直交チャネルは、前記検出されたＣＣＡ機会に対応する、
前記送信機によって、２つ以上のアンテナで前記ＣＵＢＳを送信することと、ここにおいて、前記２つ以上のアンテナの各々で送信された前記ＣＵＢＳは、前記２つ以上のアンテナのうちのその他で送信された前記ＣＵＢＳから位相シフトされる、
前記送信機によって、単一のポートを使用する２つ以上のアンテナで送信された前記ＣＵＢＳを送信することと、ここにおい送信された各ＣＵＢＳは、互いに時間オフセットされる、
のうちの１つを含む、Ｃ７に記載の方法。
［Ｃ１０］
前記ＣＵＢＳの周波数トーンマップの各奇数のリソース要素をゼロに設定することと、
前記送信することの前に、時間ドメイン信号に前記ＣＵＢＳの前記周波数トーンマップを変換することと、ここにおいて、前記時間ドメイン信号は、伸ばされたサイクリックプリフィックスを含む、
によって、前記ＣＵＢＳを生成すること、
をさらに含む、Ｃ７に記載の方法。
［Ｃ１１］
ワイヤレス通信の方法であって、
受信機によって、前記受信機のネットワークに割り当てられたクリアチャネル評価（ＣＣＡ）機会において、チャネル使用ビーコン信号（ＣＵＢＳ）を検出することと、ここにおいて、前記ＣＵＢＳの構成は、前記受信機と通信状態にある送信機を識別する、
前記ＣＵＢＳに基づいて、前記受信機によって自動利得制御（ＡＧＣ）を設定することと、
前記受信機によって、前記構成に基づいて前記送信機からの予定送信時間を決定することと、
前記受信機によって、前記ＡＧＣを使用して、前記予定送信時間内に前記送信機からデータ送信を受信することと、
前記予定送信時間の後、前記受信することを非活性化することと、
を備える、方法。
［Ｃ１２］
前記決定することは、
前記ＣＵＢｓの第１の構成を検出することと、ここにおいて、前記第１の構成は、長さ半分のフレームの前記予定送信時間を示し、さらに１つまたは複数のシステム信号が前記長さ半分のフレーム内に位置付けられることを示す、または
前記ＣＵＢｓの第２の構成を検出することと、ここにおいて、前記第２の構成は、フルの長さのフレームの前記予定送信時間を示し、さらに１つまたは複数のシステム信号が前記フルの長さのフレーム内に位置付けられることを示す、
のうちの１つを含む、Ｃ１１に記載の方法。
［Ｃ１３］
前記を識別する前記ＣＵＢＳのために、前記ＣＣＡ機会の複数のリソース要素を探索することをさらに含み、前記探索することは、
前記複数のリソース要素中の第１のリソース要素から３つのリソース要素ごとに前記ＣＵＢＳを示すパターンを探索することと、
１つのリソース要素によって、前記第１のリソース要素からシフトされた第２のリソース要素から３つのリソース要素ごとに前記ＣＵＢＳを示す前記パターンを探索することと、
１つのリソース要素によって、前記第２のリソース要素からシフトされた第３のリソース要素から３つのリソース要素ごとに前記ＣＵＢＳを示す前記パターンを探索することと、
をさらに含む、Ｃ１１に記載の方法。
［Ｃ１４］
近隣ネットワークＣＣＡ機会において近隣ネットワークＣＵＢＳを検出することと、
前記ＣＵＢＳと前記近隣ネットワークＣＵＢＳとの間の観測された電力差異を決定することと、
前記送信機によって、前記観測された電力差異が予め決定されたしきい値を超えることに失敗するとき、どの干渉除去も行わないことと、
前記送信機によって、前記観測された電力差異が前記予め決定されたしきい値を超えるとき、干渉除去を行うことと、
をさらに含む、Ｃ１１に記載の方法。
［Ｃ１５］
Ｃ１乃至１４に記載の前記方法をコンピュータに行わせるためのプログラムコードを記録したコンピュータ可読媒体。
［Ｃ１６］
ワイヤレス通信のために構成された装置であって、
無認可帯域でのデータのセットの送信を控えた送信機によって、前記送信機のネットワークに割り当てられたクリアチャネル評価（ＣＣＡ）機会においてクリアＣＣＡを検出するための手段と、
前記送信機によって、前記送信機の前記ネットワークに割り当てられた前記ＣＣＡ機会に基づいて、前記送信機に関連付けられたチャネル使用ビーコン信号（ＣＵＢＳ）の構成を選択するための手段と、ここにおいて、前記送信機に関連付けられた前記ＣＵＢＳの前記構成は、ＣＵＢＳ送信のための周波数サブキャリアのセットを含む、
前記送信機によって、前記ＣＣＡ機会に基づく送信特性に従って前記ＣＵＢＳを送信するための手段と、
を備える、装置。
［Ｃ１７］
ＣＵＢＳ送信のための前記周波数サブキャリアのセットは、ＣＵＢＳ送信のために利用可能な全てのサブキャリアのサブセットである、Ｃ１６に記載の装置。
［Ｃ１８］
前記サブセットは、複数の重複しないサブセットのうちの１つである、Ｃ１７に記載の装置。
［Ｃ１９］
前記複数の重複しないサブセットの数が、利用可能なＣＣＡ機会の総数の数以上である、Ｃ１８に記載の装置。
［Ｃ２０］
各ＣＣＡ機会は、前記複数の重複しないサブセットのうちの一意の重複しないサブセットに関連付けられる、Ｃ１９に記載の装置。
［Ｃ２１］
前記複数の重複しないサブセットの前記数が、利用可能なＣＣＡ機会の前記総数の前記数未満である、Ｃ１８に記載の装置。
［Ｃ２２］
各ＣＣＡ機会と前記複数の重複しないサブセットとの間のアソシエーションは、時間スロット依存である、Ｃ２１に記載の装置。
［Ｃ２３］
前記ＣＣＡ機会が、どの他のＣＣＡ機会もマッピングされない前記複数の重複しないサブセットのうちの１つの重複しないサブセットにマッピングされる、各ＣＣＡ機会のための時間スロットが存在する、Ｃ２２に記載の装置。
［Ｃ２４］
前記クリアＣＣＡに応答して前記送信機によって、前記データのセットのための送信の予定持続期間を決定するための手段と、
前記送信機によって、前記送信の前記予定持続期間に基づいて、前記送信機に関連付けられた前記ＣＵＢＳの前記構成を選択するための手段と、
をさらに備える、Ｃ１６に記載の装置。
［Ｃ２５］
前記構成を選択するための手段は、
前記持続期間が予め決められた時間を超えることに失敗するとき、第１の構成を選択するための手段と、
前記持続期間が前記予め決められた時間を超えるとき、第２の構成を選択するための手段と、
を含む、Ｃ２４に記載の装置。
［Ｃ２６］
前記送信特性に従って送信するための手段は、
前記ＣＣＡ機会に関連付けられたサブフレームの１つまたは複数のシンボルの各々において前記ＣＵＢＳを送信するための手段と、ここにおいて、前記送信するための手段は、前記ＣＣＡ機会に関連する前記１つまたは複数のシンボルの第１のシンボルにおいて始まる、
を含む、Ｃ２４に記載の装置。
［Ｃ２７］
前記送信特性に従って送信するための手段は、
利用可能なＣＣＡ機会のセットに関連付けられた複数の直交チャネルから１つの直交チャネルを選択するための手段と、ここにおいて、前記選択された直交チャネルは、前記検出されたＣＣＡ機会に対応する、
を含む、Ｃ２４に記載の装置。
［Ｃ２８］
前記送信特性に従って送信するための手段は、
前記送信機によって、２つ以上のアンテナで前記ＣＵＢＳを送信するための手段と、ここにおいて、前記２つ以上のアンテナの各々で送信された前記ＣＵＢＳは、前記２つ以上のアンテナのうちのその他で送信された前記ＣＵＢＳから位相シフトされる、
を含む、Ｃ２４に記載の装置。
［Ｃ２９］
前記送信特性に従って送信するための手段は、
前記送信機によって、単一のポートを使用する２つ以上のアンテナで送信される前記ＣＵＢＳを送信するための手段と、ここにおいて、送信された各ＣＵＢＳは、互いに時間オフセットされる、
を含む、Ｃ２４に記載の装置。
［Ｃ３０］
前記ＣＵＢＳの周波数トーンマップの各奇数のリソース要素をゼロに設定することと、
前記送信するための手段の前に、時間ドメイン信号に前記ＣＵＢＳの前記周波数トーンマップを変換することと、ここにおいて、前記時間ドメイン信号は、伸ばされたサイクリックプリフィックスを含む、
によって前記ＣＵＢＳを生成するための手段、
をさらに含む、Ｃ２４に記載の装置。